【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
ウェブページ内の、クリック位置が記録される基準領域を判定するステップ（Ｓ１１）と；
前記基準領域を、前記ウェブページのフレーム構造とスタイルに従っていくつかの操作領域に分割し、前記ウェブページ内の前記基準領域以外の領域を操作領域として判定するステップ（Ｓ１２）であって、前記操作領域内のウェブページ要素の座標位置は、前記操作領域内に固定されており、前記操作領域は少なくとも一の基準座標位置を有する、前記判定するステップ（Ｓ１２）と；
ユーザのクリック操作が位置する現在の操作領域を判定するステップ（Ｓ１３）と；
前記クリック操作が位置する前記現在の操作領域の基準座標位置を基準とみなすことにより、前記基準座標位置に対する前記クリック操作の前記位置の相対座標を計算し、前記相対座標を前記ウェブページでの前記クリック操作のクリック位置として記録するステップ（Ｓ１４）と；を備える、
ウェブページでのクリック位置を記録する方法。
【請求項２】
ウェブページ内の、クリック位置が記録される基準領域を判定し、前記基準領域を、前記ウェブページのフレーム構造とスタイルに従っていくつかの操作領域に分割する前記ステップは：
前記ウェブページにおける前記ユーザの過去の操作行動についての統計を実施するステップと；
前記ウェブページ内で、前記ユーザの前記過去の操作行動の回数が所定の閾値を超えている領域を基準領域として判定するステップと；
前記ウェブページの前記フレーム構造及びスタイルと、前記ウェブページ内の前記基準領域内における前記ユーザの過去の操作行動とに従って、前記基準領域をいくつかの操作領域に分割するステップと；を備える、
請求項１に記載のウェブページでのクリック位置を記録する方法。
【請求項３】
前記ウェブページ内の前記基準領域以外の前記領域から判定した前記操作領域の前記基準座標位置は、前記基準領域を分割してできた前記いくつかの操作領域内の任意の基準座標位置から選択される、
請求項２に記載のウェブページでのクリック位置を記録する方法。
【請求項４】
前記基準領域を分割してできた前記いくつかの操作領域は：
ヘッダ領域、及び／又はバナー領域、及び／又は情報領域、及び／又は広告領域、及び／又はフッタ領域、及び／又はサイドバー領域を備える、
請求項２に記載のウェブページでのクリック位置を記録する方法。
【請求項５】
前記ウェブページでの前記クリック操作の前記クリック位置は、Ｎｇｉｎｘサーバに記録され、
前記方法は：
前記Ｎｇｉｎｘサーバを用いて前記クリック操作の操作時間を記録するステップをさらに備える、
請求項１に記載のウェブページでのクリック位置を記録する方法。
【請求項６】
前記ウェブページでの前記クリック位置を復元するステップをさらに備え、前記復元するステップは：
第１の時点での前記ユーザのクリック操作の位置の相対座標を取得するステップ（Ｓ２１）と；
前記第１の時点の後の第２の時点における前記ウェブページ内の前記操作領域の位置を判定するステップ（Ｓ２２）と；
前記第１の時点での前記ユーザの前記クリック操作が位置する前記操作領域の前記基準座標位置に対する前記ユーザの前記クリック操作の前記位置の前記相対座標と、前記第２の時点における前記ウェブページでの前記操作領域の前記位置とに従って、前記第２の時点での、前記ウェブページでの前記クリック操作のクリック位置を復元するステップ（Ｓ２３）と；を備える、
請求項１乃至請求項５のいずれか１項に記載のウェブページでのクリック位置を記録する方法。
【請求項７】
前記方法は：
前記第１の時点における前記操作領域の面積が前記第２の時点における前記操作領域の面積よりも大きいかどうかを判定するステップと、
大きい場合、前記クリック操作が前記第２の時点で前記操作領域外にあるかどうかを判定するステップと、
前記操作領域外にある場合、前記ウェブページでの前記クリック操作の前記クリック位置のデータを隠すステップと；をさらに備える、
請求項６に記載のウェブページでのクリック位置を記録する方法。
【請求項８】
前記方法は：
前記第２の時点に前記操作領域が存在するかどうかを判定するステップと；
存在しない場合、前記ウェブページでの前記クリック操作の前記クリック位置のデータを隠すステップと；をさらに備える、
請求項６に記載のウェブページでのクリック位置を記録する方法。
【請求項９】
請求項１乃至請求項８のいずれか１項の方法を実行するように構成された複数のモジュールを備える、
ウェブページでのクリック位置を記録する装置。
【手続補正２】
【補正対象書類名】明細書
【補正対象項目名】００５９
【補正方法】変更
【補正の内容】
【００５９】
上記記載は単なる本願の実施の形態であり、本願を制限することを意図するものではない。当業者は、本願に様々な変更及び改造を行うことができる。本願の精神及び原理から逸脱せずになされるあらゆる改変、均等物との置き換え、改良等は、すべて本願の請求の範囲に包含されるべきものである。
［第１の局面］
ウェブページでのクリック位置を記録する方法であって：
ウェブページ内の、クリック位置が記録される基準領域を判定するステップと；
前記基準領域を、前記ウェブページのフレーム構造とスタイルに従っていくつかの操作領域に分割し、前記ウェブページ内の前記基準領域以外の領域を操作領域として判定するステップであって、前記操作領域内のウェブページ要素の座標位置は、前記操作領域内に固定されており、前記操作領域は少なくとも一の基準座標位置を有する、ステップと；
ユーザのクリック操作が位置する現在の操作領域を判定するステップと；
前記クリック操作が位置する前記現在の操作領域の基準座標位置を基準とみなすことにより、前記基準座標位置に対する前記クリック操作の前記位置の相対座標を計算し、前記相対座標を前記ウェブページでの前記クリック操作のクリック位置として記録するステップと；を備える、
ウェブページでのクリック位置を記録する方法。
［第２の局面］
ウェブページ内の、クリック位置を記録する基準領域を判定し、前記基準領域を、前記ウェブページのフレーム構造とスタイルに従っていくつかの操作領域に分割する前記ステップは：
前記ウェブページにおける前記ユーザの過去の操作行動についての統計を実施するステップと；
前記ウェブページ内で、前記ユーザの前記過去の操作行動の回数が所定の閾値を超えている領域を基準領域として判定するステップと；
前記ウェブページの前記フレーム構造及びスタイルと、前記ウェブページ内の前記基準領域内における前記ユーザの過去の操作行動とに従って、前記基準領域をいくつかの操作領域に分割するステップと；を具体的に備える、
第１の局面に記載の方法。
［第３の局面］
前記ウェブページ内の前記基準領域以外の前記領域から判定した前記操作領域の前記基準座標位置は、前記基準領域を分割してできた前記いくつかの操作領域内の任意の基準座標位置から選択される、
第２の局面に記載の方法。
［第４の局面］
前記基準領域を分割してできた前記いくつかの操作領域は、ヘッダ領域、及び／又はバナー領域、及び／又は情報領域、及び／又は広告領域、及び／又はフッタ領域、及び／又はサイドバー領域を備える、
第２の局面に記載の方法。
［第５の局面］
前記ウェブページでの前記クリック操作の前記クリック位置はＮｇｉｎｘサーバに記録され、
前記方法は：
前記Ｎｇｉｎｘサーバを用いて前記クリック操作の操作時間を記録するステップをさらに備える、
第１の局面に記載の方法。
［第６の局面］
いくつかの操作領域に分割されたウェブページでのクリック位置を復元する方法であって、前記方法は：
ユーザのクリック操作が位置する操作領域の基準座標位置に対する前記ユーザの前記クリック操作の位置の相対座標を照会するステップであって、前記相対座標は、第１の時点での、第１の局面乃至第５の局面のいずれかに記載のウェブページでのクリック位置を記録する方法に従って得られる、相対座標を照会するステップと；
前記第１の時点の後の第２の時点における前記ウェブページ内の前記操作領域の位置を判定するステップと；
前記第１の時点での前記ユーザの前記クリック操作が位置する前記操作領域の前記基準座標位置に対する前記ユーザの前記クリック操作の前記位置の前記相対座標と、前記第２の時点における前記ウェブページでの前記操作領域の前記位置とに従って、前記第２の時点での、前記ウェブページでの前記クリック操作のクリック位置を復元するステップと；を備える、
ウェブページでのクリック位置を復元する方法。
［第７の局面］
前記方法は：
前記第１の時点における前記操作領域の面積が前記第２の時点における前記操作領域の面積よりも大きいかどうかを判断するステップと、
大きい場合、前記クリック操作が前記第２の時点で前記操作領域外にあるかどうかを判断するステップと、
前記操作領域外にある場合、前記ウェブページでの前記クリック操作の前記クリック位置のデータを隠すステップと；をさらに備える、
第６の局面に記載の方法。
［第８の局面］
前記方法は：
前記第２の時点に前記操作領域が存在するかどうかを判断するステップと；
存在しない場合、前記ウェブページでの前記クリック操作の前記クリック位置のデータを隠すステップと；をさらに備える、
第６の局面に記載の方法。
［第９の局面］
ウェブページでのクリック位置を記録する装置であって：
クリック位置が記録されるウェブページ内の基準領域を判定するように構成された領域判定モジュールと；
前記基準領域を、前記ウェブページのフレーム構造とスタイルとに従っていくつかの操作領域に分割し、前記ウェブページ内の前記基準領域以外の領域を操作領域として判定するように構成された分割モジュールであって、前記操作領域内のウェブページ要素の座標位置は前記操作領域内に固定されており、前記操作領域は少なくとも一の基準座標位置を有する、分割モジュールと；
ユーザのクリック操作が位置する現在の操作領域を判定するように構成された判定モジュールと；
前記クリック操作が位置する前記現在の操作領域の基準座標位置を基準とみなすことにより、前記基準座標位置に対する前記クリック操作の前記位置の相対座標を計算し、前記相対座標を前記ウェブページでの前記クリック操作のクリック位置として記録するように構成された処理モジュールと；を備える、
ウェブページでのクリック位置を記録する装置。
［第１０の局面］
前記領域判定モジュールは、具体的に、前記ウェブページにおける前記ユーザの過去の操作行動についての統計を実施し、前記ウェブページ内において、前記ユーザの前記過去の操作行動の回数が所定の閾値を超える領域を基準領域と判定するように構成されており、前記分割モジュールは、具体的に、前記ウェブページの前記フレーム構造及び前記スタイルと、前記ウェブページの前記基準領域内での前記ユーザの過去の操作行動とに従って、前記基準領域をいくつかの操作領域に分割するように構成されている、
第９の局面に記載のウェブページでのクリック位置を記録する装置。
［第１１の局面］
前記ウェブページ内の前記基準領域以外の前記領域から判定された前記操作領域の前記基準座標位置は、前記基準領域を分割してできた前記いくつかの操作領域内の任意の基準座標位置から選択される、
第１０の局面に記載のウェブページでのクリック位置を記録する装置。
［第１２の局面］
前記基準領域を分割してできた前記いくつかの操作領域は、ヘッダ領域、及び／又はバナー領域、及び／又は情報領域、及び／又は広告領域、及び／又はフッタ領域、及び／又はサイドバー領域を備える、
第１０の局面に記載のウェブページでのクリック位置を記録する装置。
［第１３の局面］
前記処理モジュールは、具体的に、前記ウェブページでの前記クリック操作の前記クリック位置をＮｇｉｎｘサーバに記録するように構成されており、又、前記処理モジュールは、前記Ｎｇｉｎｘサーバを使用して前記クリック操作の操作時間を記録するようにさらに構成されている、
第９の局面に記載のウェブページでのクリック位置を記録する装置。
［第１４の局面］
いくつかの操作領域に分割されたウェブページでのクリック位置を復元する装置であって、前記装置は：
ユーザのクリック操作が位置する操作領域の基準座標位置に対する前記ユーザの前記クリック操作の位置の相対座標を照会するように構成された照会モジュールであって、前記相対座標は、第９の局面乃至第１３の局面のいずれかに記載のウェブページでのクリック位置を記録する前記装置に従って、第１の時点で得られる、照会モジュールと；
前記第１の時点の後の第２の時点における前記ウェブページ内の前記操作領域の位置を判定するように構成された位置決めモジュールと；
前記第１の時点での前記ユーザの前記クリック操作が位置する前記操作領域の前記基準座標位置に対する前記ユーザの前記クリック操作の前記位置の前記相対座標と、前記第２の時点における前記ウェブページ内の前記操作領域の前記位置とに従って、前記第２の時点での、前記ウェブページでの前記クリック操作のクリック位置を復元するように構成された計算モジュールと；を備える、
ウェブページでのクリック位置を復元する装置。
［第１５の局面］
ウェブページでのクリック位置を復元する前記装置は比較モジュールをさらに備え、
前記比較モジュールは、前記第１の時点における前記操作領域の面積が前記第２の時点における前記操作領域の面積よりも大きいかどうかを判断し、大きい場合、前記第２の時点において前記クリック操作が前記操作領域外に存在するかどうかを判断し、前記操作領域外に存在する場合、前記ウェブページでの前記クリック操作の前記クリック位置のデータを隠すように構成されている、
第１４の局面に記載のウェブページでのクリック位置を復元する装置。
［第１６の局面］
ウェブページでのクリック位置を復元する前記装置は認識モジュールをさらに備え、
前記認識モジュールは、前記第２の時点において前記操作領域が存在するかどうかを判断し、存在しない場合には、前記ウェブページでの前記クリック操作の前記クリック位置のデータを隠すように構成されている、
第１４の局面に記載のウェブページでのクリック位置を復元する装置。